(57)【要約】【課題】簡単な操作によって指定機器の設定を行うことができる遠隔操作システム、遠隔操作方法、遠隔操作装置および表示装置を提供する。【解決手段】遠隔操作システムは、複数の表示装置と、前記複数の表示装置を遠隔操作する遠隔操作装置とを備え、前記遠隔操作装置は、前記複数の表示装置のうちのいずれかの表示装置のみを前記遠隔操作装置による遠隔操作の対象である指定機器として設定する指定機器設定信号を送信する送信部を備え、前記複数の表示装置のうちの一の表示装置は、表示ユニットと、前記指定機器設定信号を受信する受信部と、前記受信部によって受信された前記指定機器設定信号の強度を算出する信号強度算出部と、比較部とを備え、前記受信部によって受信された前記指定機器設定信号の強度が、前記他の表示装置によって受信された前記指定機器設定信号の強度よりも高い場合に、前記一の表示装置が前記指定機器として動作する。【選択図】図１
2019208132.tif 000002
【特許請求の範囲】
【請求項１】
複数の表示装置と、
前記複数の表示装置を遠隔操作する遠隔操作装置とを備え、
前記遠隔操作装置は、
前記複数の表示装置のうちのいずれかの表示装置のみを前記遠隔操作装置による遠隔操作の対象である指定機器として設定する指定機器設定信号を送信する送信部を備え、
前記複数の表示装置のうちの一の表示装置は、
表示ユニットと、
前記指定機器設定信号を受信する受信部と、
前記受信部によって受信された前記指定機器設定信号の強度を算出する信号強度算出部と、
前記受信部によって受信された前記指定機器設定信号の強度が、前記複数の表示装置のうちの他の表示装置によって受信された前記指定機器設定信号の強度よりも高いか否かを比較する比較部とを備え、
前記受信部によって受信された前記指定機器設定信号の強度が、前記複数の表示装置のうちの他の表示装置によって受信された前記指定機器設定信号の強度よりも高い場合に、前記一の表示装置が前記指定機器として動作する、
遠隔操作システム。
【請求項２】
前記受信部によって受信された前記指定機器設定信号の強度が、前記複数の表示装置のそれぞれによって受信された前記指定機器設定信号の強度の最高値である場合に、前記表示ユニットは、前記一の表示装置が前記指定機器として設定された旨を表示する、
請求項１に記載の遠隔操作システム。
【請求項３】
前記受信部によって受信された前記指定機器設定信号の強度が、前記複数の表示装置のそれぞれによって受信された前記指定機器設定信号の強度の最高値ではない場合に、
前記一の表示装置は、前記指定機器として動作せず、
前記表示ユニットは、前記一の表示装置が前記指定機器として設定されなかった旨を表示する、
請求項２に記載の遠隔操作システム。
【請求項４】
前記送信部は、
前記複数の表示装置のうちのいずれかの表示装置のみが前記指定機器として設定されるモードを解除する指定機器設定解除信号と、
前記複数の表示装置のすべてを遠隔操作する遠隔操作信号とを更に送信し、
前記一の表示装置が前記指定機器として設定されていない場合、かつ、前記受信部が前記指定機器設定解除信号を受信した場合に、前記一の表示装置は、前記送信部によって送信される前記遠隔操作信号に応じた動作を再開する、
請求項３に記載の遠隔操作システム。
【請求項５】
前記一の表示装置は、
前記受信部によって受信された前記指定機器設定信号の強度を示す信号である第１信号を出力する出力部と、
前記複数の表示装置のうちの他の表示装置によって受信された前記指定機器設定信号の強度を示す信号である第２信号が、前記他の表示装置から入力される入力部とを更に備える、
請求項１から請求項４のいずれか一項に記載の遠隔操作システム。
【請求項６】
複数の表示装置のうちのいずれかの表示装置のみを遠隔操作装置による遠隔操作の対象である指定機器として設定する指定機器設定信号を前記遠隔操作装置が送信する送信ステップと、
前記指定機器設定信号を前記複数の表示装置のうちの一の表示装置が受信する受信ステップと、
前記受信ステップにおいて受信された前記指定機器設定信号の強度を算出する信号強度算出ステップと、
前記受信ステップにおいて受信された前記指定機器設定信号の強度が、前記複数の表示装置のうちの他の表示装置によって受信された前記指定機器設定信号の強度よりも高いか否かを比較する比較ステップとを備える遠隔操作方法であって、
前記受信ステップにおいて受信された前記指定機器設定信号の強度が、前記他の表示装置によって受信された前記指定機器設定信号の強度よりも高い場合に、前記一の表示装置が、前記指定機器として動作する、
遠隔操作方法。
【請求項７】
複数の表示装置を遠隔操作する遠隔操作装置であって、
前記複数の表示装置のうちのいずれかの表示装置のみを前記遠隔操作装置による遠隔操作の対象である指定機器として設定する指定機器設定信号を送信する送信部を備え、
前記複数の表示装置のうちの一の表示装置によって受信された前記指定機器設定信号の強度が、前記複数の表示装置のうちの他の表示装置によって受信された前記指定機器設定信号の強度よりも高い場合に、前記一の表示装置が前記指定機器として動作する、
遠隔操作装置。
【請求項８】
遠隔操作装置によって遠隔操作される複数の表示装置のうちの一の表示装置であって、
表示ユニットと、
前記複数の表示装置のうちのいずれかの表示装置のみを遠隔操作装置による遠隔操作の対象である指定機器として設定する指定機器設定信号を受信する受信部と、
前記受信部によって受信された前記指定機器設定信号の強度を算出する信号強度算出部と、
前記受信部によって受信された前記指定機器設定信号の強度が、前記複数の表示装置のうちの他の表示装置によって受信された前記指定機器設定信号の強度よりも高いか否かを比較する比較部とを備え、
前記受信部によって受信された前記指定機器設定信号の強度が、前記他の表示装置によって受信された前記指定機器設定信号の強度よりも高い場合に、前記指定機器として動作する、
表示装置。
【発明の詳細な説明】
【技術分野】
【０００１】
本発明は、遠隔操作システム、遠隔操作方法、遠隔操作装置および表示装置に関する。
【背景技術】
【０００２】
従来、同じ機器が複数存在している場合に各機器に対応してリモコン信号を送信できるリモートコントロールシステムが知られている（例えば特許文献１参照）。特許文献１に記載された技術では、リモートコントロール装置において装置番号が設定され、その装置番号が、リモコン信号で設定すべきテレビジョン受像機に送信され、テレビジョン受像機が、その装置番号を記憶する。リモートコントロール装置からのリモコン信号には、装置番号のデータが含まれており、その装置番号が設定されたテレビジョン受像機がそのリモコン信号で動作する。
【先行技術文献】
【特許文献】
【０００３】
【特許文献１】特開平９−１３０８６９号公報
【発明の概要】
【発明が解決しようとする課題】
【０００４】
ところで、特許文献１に記載された技術では、特定のテレビジョン受像機（表示装置）のみをリモートコントロール装置（遠隔操作装置）によって操作する場合、リモートコントロール装置（遠隔操作装置）の利用者が、遠隔操作対象のテレビジョン受像機（表示装置）に設定されている装置番号（識別番号）を、リモートコントロール装置（遠隔操作装置）が送信するリモコン信号のデータコードに付加する必要がある。
つまり、特許文献１に記載された技術では、複数の表示装置のうちの一の表示装置のみを遠隔操作装置による遠隔操作の対象にする（つまり、一の表示装置を指定機器に設定する）ために、遠隔操作装置の利用者が複雑な操作を行う必要がある。
【０００５】
上述した問題点に鑑み、本発明は、簡単な操作によって指定機器の設定を行うことができる遠隔操作システム、遠隔操作方法、遠隔操作装置および表示装置を提供することを目的としている。
【課題を解決するための手段】
【０００６】
本発明の一態様は、複数の表示装置と、前記複数の表示装置を遠隔操作する遠隔操作装置とを備え、前記遠隔操作装置は、前記複数の表示装置のうちのいずれかの表示装置のみを前記遠隔操作装置による遠隔操作の対象である指定機器として設定する指定機器設定信号を送信する送信部を備え、前記複数の表示装置のうちの一の表示装置は、表示ユニットと、前記指定機器設定信号を受信する受信部と、前記受信部によって受信された前記指定機器設定信号の強度を算出する信号強度算出部と、前記受信部によって受信された前記指定機器設定信号の強度が、前記複数の表示装置のうちの他の表示装置によって受信された前記指定機器設定信号の強度よりも高いか否かを比較する比較部とを備え、前記受信部によって受信された前記指定機器設定信号の強度が、前記他の表示装置によって受信された前記指定機器設定信号の強度よりも高い場合に、前記一の表示装置が前記指定機器として動作する、遠隔操作システムである。
【０００７】
また、本発明の一態様は、複数の表示装置のうちのいずれかの表示装置のみを遠隔操作装置による遠隔操作の対象である指定機器として設定する指定機器設定信号を前記遠隔操作装置が送信する送信ステップと、前記指定機器設定信号を前記複数の表示装置のうちの一の表示装置が受信する受信ステップと、前記受信ステップにおいて受信された前記指定機器設定信号の強度を算出する信号強度算出ステップと、前記受信ステップにおいて受信された前記指定機器設定信号の強度が、前記複数の表示装置のうちの他の表示装置によって受信された前記指定機器設定信号の強度よりも高いか否かを比較する比較ステップとを備える遠隔操作方法であって、前記受信ステップにおいて受信された前記指定機器設定信号の強度が、前記他の表示装置によって受信された前記指定機器設定信号の強度よりも高い場合に、前記一の表示装置が、前記指定機器として動作する、遠隔操作方法である。
【０００８】
また、本発明の一態様は、複数の表示装置を遠隔操作する遠隔操作装置であって、前記複数の表示装置のうちのいずれかの表示装置のみを前記遠隔操作装置による遠隔操作の対象である指定機器として設定する指定機器設定信号を送信する送信部を備え、前記複数の表示装置のうちの一の表示装置によって受信された前記指定機器設定信号の強度が、前記複数の表示装置のうちの他の表示装置によって受信された前記指定機器設定信号の強度よりも高い場合に、前記一の表示装置が前記指定機器として動作する、遠隔操作装置である。
【０００９】
また、本発明の一態様は、遠隔操作装置によって遠隔操作される複数の表示装置のうちの一の表示装置であって、表示ユニットと、前記複数の表示装置のうちのいずれかの表示装置のみを遠隔操作装置による遠隔操作の対象である指定機器として設定する指定機器設定信号を受信する受信部と、前記受信部によって受信された前記指定機器設定信号の強度を算出する信号強度算出部と、前記受信部によって受信された前記指定機器設定信号の強度が、前記複数の表示装置のうちの他の表示装置によって受信された前記指定機器設定信号の強度よりも高いか否かを比較する比較部とを備え、前記受信部によって受信された前記指定機器設定信号の強度が、前記他の表示装置によって受信された前記指定機器設定信号の強度よりも高い場合に、前記指定機器として動作する、表示装置である。
【発明の効果】
【００１０】
本発明によれば、簡単な操作によって指定機器の設定を行うことができる遠隔操作システム、遠隔操作方法、遠隔操作装置および表示装置を提供することができる。
【図面の簡単な説明】
【００１１】
【図１】第１実施形態の遠隔操作システムの概略構成の一例を示す図である。
【図２】図１に示す表示装置および遠隔操作装置の詳細の一例を示すブロック図である。
【図３】指定機器設定信号の受信強度を比較して示した図である。
【図４】表示装置が指定機器である旨の表示などを説明するための図である。
【図５】第１実施形態の遠隔操作システムの表示装置において実行される処理の一例を説明するためのフローチャートである。
【図６】第２実施形態の遠隔操作システムの概略構成の一例を示す図である。
【発明を実施するための形態】
【００１２】
以下、本発明の遠隔操作システム、遠隔操作方法、遠隔操作装置および表示装置の実施の形態について図面を参照しながら説明する。
図１は第１実施形態の遠隔操作システム１の概略構成の一例を示す図である。図２は図１に示す表示装置１２および遠隔操作装置１５の詳細の一例を示すブロック図である。
図１および図２に示す例では、遠隔操作システム１が、３つの表示装置（ディスプレイ）１１、１２、１３と、コンピュータ１４と、遠隔操作装置（リモートコントローラ）１５とを備えている。
図１および図２に示す例では、遠隔操作システム１が３つの表示装置１１、１２、１３を備えているが、他の例では、遠隔操作システム１が３以外の任意の数（ただし、複数）の表示装置を備えていてもよい。
【００１３】
図１および図２に示す例では、コンピュータ１４と表示装置１１とが、映像ケーブルＣ１によって接続されている。表示装置１１と表示装置１２とは、映像ケーブルＣ２によって接続されている。表示装置１２と表示装置１３とは、映像ケーブルＣ３によって接続されている。表示装置１１が表示を行うための表示データは、コンピュータ１４から映像ケーブルＣ１を介して表示装置１１に伝送される。表示装置１２が表示を行うための表示データは、コンピュータ１４から映像ケーブルＣ１、表示装置１１および映像ケーブルＣ２を介して表示装置１２に伝送される。表示装置１３が表示を行うための表示データは、コンピュータ１４から映像ケーブルＣ１、表示装置１１、映像ケーブルＣ２、表示装置１２および映像ケーブルＣ３を介して表示装置１３に伝送される。つまり、コンピュータ１４と表示装置１１、１２、１３とは、映像ケーブルＣ１、Ｃ２、Ｃ３によってディジーチェーン接続されている。
また、コンピュータ１４と表示装置１１とは、ＬＡＮ（Local Area Network）ケーブルＣ４によって接続されている。表示装置１１と表示装置１２とは、ＬＡＮケーブルＣ５によって接続されている。表示装置１２と表示装置１３とは、ＬＡＮケーブルＣ６によって接続されている。コンピュータ１４と表示装置１１、１２、１３とは、ＬＡＮケーブルＣ４、Ｃ５、Ｃ６によってディジーチェーン接続されている。
図１および図２に示す例では、コンピュータ１４と表示装置１１との間のＬＡＮ信号の通信がＬＡＮケーブルＣ４を介して行われ、表示装置１１と表示装置１２との間のＬＡＮ信号の通信がＬＡＮケーブルＣ５を介して行われ、表示装置１２と表示装置１３との間のＬＡＮ信号の通信がＬＡＮケーブルＣ６を介して行われるが、他の例では、コンピュータ１４と表示装置１１との間、表示装置１１と表示装置１２との間、および、表示装置１２と表示装置１３との間のＬＡＮ信号の通信が、無線通信によって行われてもよい。
【００１４】
図１および図２に示す例では、遠隔操作装置１５が、遠隔操作装置１５の利用者の操作に応じて、表示装置１１、１２、１３の遠隔操作を行う。
遠隔操作システム１は、３つの表示装置１１、１２、１３のすべてが遠隔操作装置１５によって遠隔操作される通常モードと、３つの表示装置１１、１２、１３のうちの１つのみが遠隔操作装置１５による遠隔操作の対象である指定機器となり、残りの２つが遠隔操作装置１５による遠隔操作の対象外となる指定機器操作モードとを有する。
遠隔操作装置１５は、操作部１５Ａと、送信部１５Ｂと、ＣＰＵ（Central Processing Unit）１５Ｃと、メモリ１５Ｄとを備えている。
操作部１５Ａは、遠隔操作装置１５の利用者による操作を受け付ける。操作部１５Ａは、設定操作部１５Ａ１と、設定解除操作部１５Ａ２と、通常操作部１５Ａ３とを備えている。設定操作部１５Ａ１は、遠隔操作システム１を指定機器操作モードに設定するための遠隔操作装置１５の利用者による操作を受け付ける。設定解除操作部１５Ａ２は、遠隔操作システム１を指定機器操作モードから通常モードに切り替える（つまり、指定機器操作モードの設定を解除する）ための遠隔操作装置１５の利用者による操作を受け付ける。通常操作部１５Ａ３は、通常モード時に、３つの表示装置１１、１２、１３のすべてを遠隔操作するための遠隔操作装置１５の利用者による操作を受け付ける。また、通常操作部１５Ａ３は、指定機器操作モード時に、指定機器を遠隔操作するための遠隔操作装置１５の利用者による操作を受け付ける。
図１および図２に示す例では、操作部１５Ａが、遠隔操作装置１５の利用者によるボタン操作（押し下げ操作）を受け付けるが、他の例では、操作部１５Ａが、遠隔操作装置１５の利用者によるスライド操作、ダイヤル操作などのようなボタン操作以外の操作を受け付けてもよい。
【００１５】
図１および図２に示す例では、送信部１５Ｂが、遠隔操作装置１５の利用者による操作部１５Ａの操作に応じたリモコン信号（遠隔操作信号）を送信する。詳細には、送信部１５Ｂが、赤外線を発光し、赤外線発光部として機能する。送信部１５Ｂによって送信されるリモコン信号には、遠隔操作システム１を指定機器操作モードにするための指定機器設定信号と、遠隔操作システム１を指定機器操作モードから通常モードに切り替えるための指定機器設定解除信号と、通常モード時に３つの表示装置１１、１２、１３のすべてを遠隔操作する、あるいは、指定機器操作モード時に指定機器を遠隔操作するための通常操作信号が含まれる。
図１および図２に示す例では、送信部１５Ｂが赤外線発光部として機能するが、他の例では、送信部１５Ｂが例えば電波などのような赤外線以外のものを送信してもよい。
【００１６】
図１および図２に示す例では、ＣＰＵ１５Ｃが、例えば送信部１５Ｂにリモコン信号を送信させるために必要な処理などを行う。メモリ１５Ｄには、操作部１５Ａが受け付けるボタン操作と、送信部１５Ｂが送信するリモコン信号（指定機器設定信号、指定機器設定解除信号または通常操作信号）との対応関係などが記憶されている。
【００１７】
図１および図２に示す例では、表示装置１２が、表示ユニット１２Ａと、受信部１２Ｂと、パルス変調部１２Ｃと、リモコン信号処理部１２Ｄと、リモコン信号レベル測定部１２Ｅと、ＣＰＵ１２Ｆと、メモリ１２Ｇと、ＬＡＮ信号処理部１２Ｈと、ＬＡＮ端子１２Ｉと、ＬＡＮ端子１２Ｊとを備えている。
表示ユニット１２Ａは、コンピュータ１４から映像ケーブルＣ１、表示装置１１および映像ケーブルＣ２を介して表示装置１２に伝送された表示データに基づく映像の表示を行う。詳細には、表示ユニット１２Ａが、遠隔操作装置１５の通常操作部１５Ａ３が受け付けた遠隔操作装置１５の利用者による操作に応じて、表示データに基づく表示を行う。
受信部１２Ｂは、遠隔操作装置１５の送信部１５Ｂによって送信されたリモコン信号（指定機器設定信号、指定機器設定解除信号または通常操作信号）を受信する。詳細には、受信部１２Ｂが、赤外線を受光し、赤外線受光部として機能する。受信部１２Ｂによって受信されたリモコン信号は、パルス変調部１２Ｃとリモコン信号レベル測定部１２Ｅとに送られる。
パルス変調部１２Ｃは、受信部１２Ｂによって受信されたリモコン信号（アナログ信号）をデジタル信号に変換する。リモコン信号処理部１２Ｄは、パルス変調部１２Ｃによって変換されたデジタル信号をリモコンコードに変換する。リモコン信号処理部１２Ｄによって変換されたリモコンコードは、ＣＰＵ１２Ｆに送られる。
リモコン信号レベル測定部１２Ｅは、受信部１２Ｂによって受信されたリモコン信号（赤外線信号）の強度（例えば赤外線信号の電圧レベル）を測定（算出）する。詳細には、リモコン信号レベル測定部１２Ｅが、受信部１２Ｂによって受信された指定機器設定信号の強度を測定（算出）する。リモコン信号レベル測定部１２Ｅによって算出された、受信部１２Ｂが受信した指定機器設定信号の強度の情報は、ＣＰＵ１２Ｆと、ＬＡＮ信号処理部１２Ｈとに送られる。
【００１８】
図１および図２に示す例では、ＬＡＮ信号処理部１２Ｈが、ＬＡＮ信号の処理を行う。詳細には、ＬＡＮ信号処理部１２Ｈは、表示装置１２の受信部１２Ｂが受信した指定機器設定信号の強度を示すＬＡＮ信号を生成する。表示装置１２の受信部１２Ｂが受信した指定機器設定信号の強度を示すＬＡＮ信号は、ＬＡＮ端子１２Ｉに送られる。
ＬＡＮ端子１２Ｉは、入出力端子であり、ＬＡＮケーブルＣ５を介して表示装置１１に接続されている。表示装置１２の受信部１２Ｂが受信した指定機器設定信号の強度を示すＬＡＮ信号は、表示装置１２からＬＡＮケーブルＣ５を介して表示装置１１に送信される。つまり、ＬＡＮ端子１２Ｉは、表示装置１２の受信部１２Ｂが受信した指定機器設定信号の強度を示すＬＡＮ信号を出力する出力部として機能する。
表示装置１１は、表示装置１２の表示ユニット１２Ａと同様の機能を有する表示ユニット１１Ａ、表示装置１２の受信部１２Ｂと同様の機能を有する受信部１１Ｂなどを備えており、表示装置１２と同様の機能を有する。つまり、表示装置１１は、表示装置１１の受信部１１Ｂが受信した指定機器設定信号の強度を示すＬＡＮ信号を生成する。
【００１９】
図１に示す例では、遠隔操作装置１５の送信部１５Ｂと表示装置１１の受信部１１Ｂとの距離が、送信部１５Ｂと表示装置１２の受信部１２Ｂとの距離との距離よりも大きい。そのため、表示装置１１の受信部１１Ｂが受信した指定機器設定信号の強度は、表示装置１２の受信部１２Ｂが受信した指定機器設定信号の強度よりも低い。
【００２０】
図１および図２に示す例では、表示装置１１の受信部１１Ｂが受信した指定機器設定信号の強度を示すＬＡＮ信号は、表示装置１１からＬＡＮケーブルＣ５を介して表示装置１２のＬＡＮ端子１２Ｉに送信され、次いで、ＬＡＮ信号処理部１２Ｈに送られる。つまり、ＬＡＮ端子１２Ｉは、表示装置１１の受信部１１Ｂが受信した指定機器設定信号の強度を示すＬＡＮ信号が表示装置１１から入力される入力部としても機能する。
ＬＡＮ信号処理部１２Ｈは、ＬＡＮ端子１２Ｉから送られたＬＡＮ信号に基づいて、表示装置１１の受信部１１Ｂが受信した指定機器設定信号の強度を示す情報を生成する。表示装置１１の受信部１１Ｂが受信した指定機器設定信号の強度を示す情報は、ＬＡＮ信号処理部１２ＨからＣＰＵ１２Ｆに送られる。
【００２１】
また、図１および図２に示す例では、ＬＡＮ端子１２Ｊが、入出力端子であり、ＬＡＮケーブルＣ６を介して表示装置１３に接続されている。表示装置１２の受信部１２Ｂが受信した指定機器設定信号の強度を示すＬＡＮ信号は、表示装置１２からＬＡＮケーブルＣ６を介して表示装置１３に送信される。
表示装置１３は、表示装置１２の表示ユニット１２Ａと同様の機能を有する表示ユニット１３Ａ、表示装置１２の受信部１２Ｂと同様の機能を有する受信部１３Ｂなどを備えており、表示装置１２と同様の機能を有する。つまり、表示装置１３は、表示装置１３の受信部１３Ｂが受信した指定機器設定信号の強度を示すＬＡＮ信号を生成する。
【００２２】
図１に示す例では、遠隔操作装置１５の送信部１５Ｂと表示装置１３の受信部１３Ｂとの距離が、送信部１５Ｂと表示装置１２の受信部１２Ｂとの距離との距離よりも大きい。そのため、表示装置１３の受信部１３Ｂが受信した指定機器設定信号の強度は、表示装置１２の受信部１２Ｂが受信した指定機器設定信号の強度よりも低い。
【００２３】
図３は図１に示す例における表示装置１１の受信部１１Ｂが受信した指定機器設定信号の強度と、表示装置１２の受信部１２Ｂが受信した指定機器設定信号の強度と、表示装置１３の受信部１３Ｂが受信した指定機器設定信号の強度とを比較して示した図である。
【００２４】
図１および図２に示す例では、表示装置１３の受信部１３Ｂが受信した指定機器設定信号の強度を示すＬＡＮ信号は、表示装置１３からＬＡＮケーブルＣ６を介して表示装置１２のＬＡＮ端子１２Ｊに送信され、次いで、ＬＡＮ信号処理部１２Ｈに送られる。
ＬＡＮ信号処理部１２Ｈは、ＬＡＮ端子１２Ｊから送られたＬＡＮ信号に基づいて、表示装置１３の受信部１３Ｂが受信した指定機器設定信号の強度を示す情報を生成する。表示装置１３の受信部１３Ｂが受信した指定機器設定信号の強度を示す情報は、ＬＡＮ信号処理部１２ＨからＣＰＵ１２Ｆに送られる。
【００２５】
図１および図２に示す例では、ＣＰＵ１２Ｆが、各種データの処理を行う。詳細には、ＣＰＵ１２Ｆは、受信部１２Ｂが受信した指定機器設定信号の強度が、表示装置１１の受信部１１Ｂが受信した指定機器設定信号の強度、および、表示装置１３の受信部１３Ｂが受信した指定機器設定信号の強度よりも高いか否かを比較する。つまり、ＣＰＵ１２Ｆは、指定機器設定信号の強度の比較を行う比較部として機能する。
表示装置１２の受信部１２Ｂが受信した指定機器設定信号の強度が、表示装置１１の受信部１１Ｂが受信した指定機器設定信号の強度よりも高く、かつ、表示装置１１の受信部１１Ｂが受信した指定機器設定信号の強度よりも高い場合、ＣＰＵ１２Ｆは、表示ユニット１２Ａに指定機器としての表示を行わせる（つまり、表示装置１２を指定機器として動作させる）ための制御信号を、表示ユニット１２Ａに出力する。
メモリ１２Ｇは、予め設定された表示装置１２の固有の識別番号（例えば「２」）などを記憶している。
【００２６】
図１および図３に示す例では、表示装置１２の受信部１２Ｂが受信した指定機器設定信号の強度は、表示装置１１の受信部１１Ｂが受信した指定機器設定信号の強度よりも高く、かつ、表示装置１１の受信部１１Ｂが受信した指定機器設定信号の強度よりも高い。
そのため、表示装置１２のＣＰＵ１２Ｆは、表示装置１２の受信部１２Ｂが受信した指定機器設定信号の強度は、表示装置１１の受信部１１Ｂが受信した指定機器設定信号の強度よりも高く、かつ、表示装置１１の受信部１１Ｂが受信した指定機器設定信号の強度よりも高いと判定し、表示装置１２が指定機器としての動作を開始する。
その結果、遠隔操作装置１５の利用者は、複雑な操作をする必要なく、複数の表示装置１１、１２、１３のうちの表示装置１２のみを遠隔操作装置１５による遠隔操作の対象（指定機器）にすることができる。
【００２７】
図１および図２に示す例では、表示装置１２の受信部１２Ｂが受信した指定機器設定信号の強度が最も高い（最高値である）と表示装置１２のＣＰＵ１２Ｆが判定する場合、ＣＰＵ１２Ｆは、表示装置１２が指定機器として設定された旨の表示を表示ユニット１２Ａに行わせるための制御信号を表示ユニット１２Ａに出力する。次いで、表示ユニット１２Ａは、例えば表示装置１２の識別番号「２」を例えば赤文字によって例えば３秒程度表示することによって、表示装置１２が指定機器である旨を遠隔操作装置１５の利用者（操作者）に示す。
図４は表示装置１２が指定機器である旨の表示などを説明するための図である。
図４に示すような表示装置１２の表示により、遠隔操作装置１５の利用者は、表示装置１２が指定機器として設定された旨を容易に把握することができる。
次いで、表示ユニット１２Ａ（詳細には、表示装置１１、１２、１３のうちの表示装置１２の表示ユニット１２Ａのみ）が、遠隔操作装置１５の利用者による通常操作部１５Ａ３の操作に応じた表示を行う。
【００２８】
また、図１および図３に示す例では、表示装置１１のＣＰＵ（図示せず）は、表示装置１１の受信部１１Ｂが受信した指定機器設定信号の強度は、表示装置１２の受信部１２Ｂが受信した指定機器設定信号の強度よりも低いと判定し、表示装置１１は、指定機器としての動作を行わない。
図１および図２に示す例では、表示装置１１の受信部１１Ｂが受信した指定機器設定信号の強度が最高値ではないと表示装置１１のＣＰＵが判定する場合、表示装置１１のＣＰＵは、表示装置１１が指定機器として設定されなかった旨（遠隔操作装置１５による遠隔操作の対象外になった旨）の表示を表示装置１１の表示ユニット（図示せず）に行わせるための制御信号を表示装置１１の表示ユニットに出力する。次いで、表示装置１１の表示ユニットは、図４に示すように、表示装置１１の識別番号「１」を例えば白文字によって例えば３秒程度表示することによって、表示装置１１が指定機器ではない旨を遠隔操作装置１５の利用者に示す。
そのため、遠隔操作装置１５の利用者は、表示装置１１が指定機器として設定されなかった旨を容易に把握することができる。
【００２９】
また、図１および図３に示す例では、表示装置１３のＣＰＵ（図示せず）は、表示装置１３の受信部１３Ｂが受信した指定機器設定信号の強度は、表示装置１２の受信部１２Ｂが受信した指定機器設定信号の強度よりも低いと判定し、表示装置１３は、指定機器としての動作を行わない。
図１および図２に示す例では、表示装置１３の受信部１３Ｂが受信した指定機器設定信号の強度が最高値ではないと表示装置１３のＣＰＵが判定する場合、表示装置１３のＣＰＵは、表示装置１３が指定機器として設定されなかった旨（遠隔操作装置１５による遠隔操作の対象外になった旨）の表示を表示装置１３の表示ユニット（図示せず）に行わせるための制御信号を表示装置１３の表示ユニットに出力する。次いで、表示装置１３の表示ユニットは、図４に示すように、表示装置１３の識別番号「３」を例えば白文字によって例えば３秒程度表示することによって、表示装置１３が指定機器ではない旨を遠隔操作装置１５の利用者に示す。
そのため、遠隔操作装置１５の利用者は、表示装置１３が指定機器として設定されなかった旨を容易に把握することができる。
【００３０】
図１および図２に示す例では、表示装置１２が指定機器として設定されている場合に、遠隔操作装置１５の設定解除操作部１５Ａ２が、遠隔操作装置１５の利用者による操作を受け付けると、遠隔操作装置１５の送信部１５Ｂは、表示装置１２のみが指定機器として設定される指定機器操作モードを解除する指定機器設定解除信号を送信する。
次いで、表示装置１２の受信部１２Ｂは、その指定機器設定解除信号を受信する。次いで、表示装置１２のパルス変調部１２Ｃは、その指定機器設定解除信号をデジタル信号に変換する。次いで、表示装置１２のリモコン信号処理部１２Ｄは、そのデジタル信号をリモコンコードに変換する。次いで、表示装置１２のＣＰＵ１２Ｆは、そのリモコンコードに基づいて、指定機器としての表示装置１２の動作を終了させる。
また、表示装置１１の受信部１１Ｂも、その指定機器設定解除信号を受信する。次いで、表示装置１１のパルス変調部（図示せず）は、その指定機器設定解除信号をデジタル信号に変換する。次いで、表示装置１１のリモコン信号処理部（図示せず）は、そのデジタル信号をリモコンコードに変換する。次いで、表示装置１１のＣＰＵ（図示せず）は、そのリモコンコードに基づいて、表示装置１１が遠隔操作装置１５による遠隔操作の対象外になっている状態を終了させる。
同様に、表示装置１３の受信部１３Ｂも、その指定機器設定解除信号を受信する。次いで、表示装置１３のパルス変調部（図示せず）は、その指定機器設定解除信号をデジタル信号に変換する。次いで、表示装置１３のリモコン信号処理部（図示せず）は、そのデジタル信号をリモコンコードに変換する。次いで、表示装置１３のＣＰＵ（図示せず）は、そのリモコンコードに基づいて、表示装置１３が遠隔操作装置１５による遠隔操作の対象外になっている状態を終了させる。
その結果、遠隔操作システム１が、指定機器操作モードから通常モードに切り替わる。
【００３１】
図１および図２に示す例では、遠隔操作システム１の通常モード時に、遠隔操作装置１５の通常操作部１５Ａ３が、遠隔操作装置１５の利用者による操作を受け付けると、遠隔操作装置１５の送信部１５Ｂは、３つの表示装置１１、１２、１３のすべてを遠隔操作するための通常操作信号を送信する。
次いで、表示装置１２の受信部１２Ｂは、その通常操作信号を受信する。次いで、表示装置１２のパルス変調部１２Ｃは、その通常操作信号をデジタル信号に変換する。次いで、表示装置１２のリモコン信号処理部１２Ｄは、そのデジタル信号をリモコンコードに変換する。次いで、表示装置１２のＣＰＵ１２Ｆは、そのリモコンコードに基づく制御信号を表示ユニット１２Ａに出力する。次いで、表示装置１２の表示ユニット１２Ａは、その制御信号に基づく（つまり、遠隔操作装置１５の送信部１５Ｂが送信した通常操作信号に基づく）表示を行う。
また、表示装置１１の受信部も、その通常操作信号を受信する。次いで、表示装置１１のパルス変調部は、その通常操作信号をデジタル信号に変換する。次いで、表示装置１１のリモコン信号処理部は、そのデジタル信号をリモコンコードに変換する。次いで、表示装置１１のＣＰＵは、そのリモコンコードに基づく制御信号を表示装置１１の表示ユニットに出力する。次いで、表示装置１１の表示ユニットは、その制御信号に基づく（つまり、遠隔操作装置１５の送信部１５Ｂが送信した通常操作信号に基づく）表示を行う。すなわち、表示装置１１の表示ユニットは、遠隔操作装置１５の送信部１５Ｂが送信するリモコン信号に応じた動作を再開し、表示装置１２の表示ユニット１２Ａと同様の表示を行う。
同様に、表示装置１３の受信部も、その通常操作信号を受信する。次いで、表示装置１３のパルス変調部は、その通常操作信号をデジタル信号に変換する。次いで、表示装置１３のリモコン信号処理部は、そのデジタル信号をリモコンコードに変換する。次いで、表示装置１３のＣＰＵは、そのリモコンコードに基づく制御信号を表示装置１３の表示ユニットに出力する。次いで、表示装置１３の表示ユニットは、その制御信号に基づく（つまり、遠隔操作装置１５の送信部１５Ｂが送信した通常操作信号に基づく）表示を行う。すなわち、表示装置１３の表示ユニットは、遠隔操作装置１５の送信部１５Ｂが送信するリモコン信号に応じた動作を再開し、表示装置１２の表示ユニット１２Ａと同様の表示を行う。
そのため、遠隔操作装置１５の利用者は、複雑な操作をする必要なく、複数の表示装置１１、１２、１３のすべてがリモコン信号（通常操作信号）に応じた動作を行う通常モードを再開することができる。
【００３２】
図５は第１実施形態の遠隔操作システム１の例えば表示装置１２において実行される処理の一例を説明するためのフローチャートである。
図５に示す例では、ステップＳ１において、表示装置１２の受信部１２Ｂが、遠隔操作装置１５の送信部１５Ｂによって送信されたリモコン信号を受信する。このタイミングで、表示装置１１の受信部１１Ｂおよび表示装置１３の受信部１３Ｂも、遠隔操作装置１５の送信部１５Ｂによって送信されたリモコン信号を受信する。
次いで、ステップＳ２において、表示装置１２のリモコン信号レベル測定部１２Ｅは、表示装置１２の受信部１２Ｂによって受信されたリモコン信号の強度を測定する。このタイミングで、表示装置１１のリモコン信号レベル測定部は、表示装置１１の受信部１１Ｂによって受信されたリモコン信号の強度を測定する。また、表示装置１３のリモコン信号レベル測定部は、表示装置１３の受信部１３Ｂによって受信されたリモコン信号の強度を測定する。
次いで、ステップＳ３において、表示装置１２のパルス変調部１２Ｃは、表示装置１２の受信部１２Ｂによって受信されたリモコン信号（アナログ信号）をデジタル信号に変換する。このタイミングで、表示装置１１のパルス変調部は、表示装置１１の受信部１１Ｂによって受信されたリモコン信号をデジタル信号に変換する。また、表示装置１３のパルス変調部は、表示装置１３の受信部１３Ｂによって受信されたリモコン信号をデジタル信号に変換する。
【００３３】
次いで、ステップＳ４において、表示装置１２のリモコン信号処理部１２Ｄは、表示装置１２のパルス変調部１２Ｃによって変換されたデジタル信号をリモコンコードに変換する。このタイミングで、表示装置１１のリモコン信号処理部は、表示装置１１のパルス変調部によって変換されたデジタル信号をリモコンコードに変換する。また、表示装置１３のリモコン信号処理部は、表示装置１３のパルス変調部によって変換されたデジタル信号をリモコンコードに変換する。
次いで、ステップＳ５において、表示装置１２のＣＰＵ１２Ｆは、表示装置１２のリモコン信号処理部１２Ｄから送られたリモコンコードに基づいて、表示装置１２の受信部１２Ｂが受信したリモコン信号が、指定機器設定信号であるか否かを判定する。上述したように、指定機器設定信号は、遠隔操作装置１５の設定操作部１５Ａ１が遠隔操作装置１５の利用者によって操作されることに伴い、遠隔操作装置１５の送信部１５Ｂから送信される。表示装置１２の受信部１２Ｂが受信したリモコン信号が、指定機器設定信号である場合には、ステップＳ６に進む。一方、表示装置１２の受信部１２Ｂが受信したリモコン信号が、指定機器設定信号ではない場合には、ステップＳ１４に進む。
【００３４】
ステップＳ６において、表示装置１２のＣＰＵ１２Ｆは、表示装置１２の動作モードを「指定機器操作モード」に設定する。
次いで、ステップＳ７において、表示装置１２は、表示装置１２の受信部１２Ｂが受信した指定機器設定信号の強度を示すＬＡＮ信号を表示装置１１と表示装置１３とに送信する。
次いで、ステップＳ８において、表示装置１２は、表示装置１１の受信部１１Ｂが受信した指定機器設定信号の強度を示すＬＡＮ信号を表示装置１１から受信すると共に、表示装置１３の受信部１３Ｂが受信した指定機器設定信号の強度を示すＬＡＮ信号を表示装置１３から受信する。
次いで、ステップＳ９において、表示装置１２のＣＰＵ１２Ｆは、表示装置１２の受信部１２Ｂが受信した指定機器設定信号の強度が、表示装置１１の受信部１１Ｂが受信した指定機器設定信号の強度、および、表示装置１３の受信部１３Ｂが受信した指定機器設定信号の強度よりも高いか否かを判定する。つまり、表示装置１２のＣＰＵ１２Ｆは、表示装置１２の受信部１２Ｂが受信した指定機器設定信号の強度が最高値であるか否かを判定する。表示装置１２の受信部１２Ｂが受信した指定機器設定信号の強度が最高値である場合には、ステップＳ１０に進む。一方、表示装置１２の受信部１２Ｂが受信した指定機器設定信号の強度が最高値ではない場合には、ステップＳ１２に進む。
【００３５】
ステップＳ１０において、表示装置１２のＣＰＵ１２Ｆは、表示装置１２を遠隔操作装置１５による遠隔操作の対象に設定する。つまり、表示装置１２は、指定機器としての動作を開始する。
次いで、ステップＳ１１において、表示装置１２の表示ユニット１２Ａは、表示装置１２の識別番号「２」を例えば赤文字によって例えば３秒程度表示する。
【００３６】
ステップＳ１２において、表示装置１２のＣＰＵ１２Ｆは、表示装置１２を遠隔操作装置１５による遠隔操作の対象外に設定する。つまり、表示装置１２は、指定機器としての動作を開始しない。
次いで、ステップＳ１３において、表示装置１２の表示ユニット１２Ａは、表示装置１２の識別番号「２」を例えば白文字によって例えば３秒程度表示する。
【００３７】
ステップＳ１４において、表示装置１２のＣＰＵ１２Ｆは、表示装置１２のリモコン信号処理部１２Ｄから送られたリモコンコードに基づいて、表示装置１２の受信部１２Ｂが受信したリモコン信号が、指定機器設定解除信号であるか否かを判定する。上述したように、指定機器設定解除信号は、遠隔操作装置１５の設定解除操作部１５Ａ２が遠隔操作装置１５の利用者によって操作されることに伴い、遠隔操作装置１５の送信部１５Ｂから送信される。表示装置１２の受信部１２Ｂが受信したリモコン信号が、指定機器設定解除信号である場合には、ステップＳ１５に進む。一方、表示装置１２の受信部１２Ｂが受信したリモコン信号が、指定機器設定解除信号ではない場合には、ステップＳ１６に進む。
ステップＳ１５において、表示装置１２のＣＰＵ１２Ｆは、表示装置１２の動作モードを「通常モード」に設定する。次いで、ステップＳ１６に進む。
【００３８】
ステップＳ１６において、表示装置１２のＣＰＵ１２Ｆは、表示装置１２の動作モードが「指定機器操作モード」に設定されているか否かを判定する。表示装置１２の動作モードが「指定機器操作モード」に設定されている場合には、ステップＳ１７に進む。一方、表示装置１２の動作モードが「指定機器操作モード」に設定されていない場合には、ステップＳ１８に進む。
ステップＳ１７において、表示装置１２のＣＰＵ１２Ｆは、表示装置１２が遠隔操作装置１５による遠隔操作の対象に設定されているか否かを判定する。表示装置１２が遠隔操作装置１５による遠隔操作の対象に設定されている場合には、ステップＳ１８に進む。一方、表示装置１２が遠隔操作装置１５による遠隔操作の対象に設定されていない場合には、図５に示すルーチンを終了する。
ステップＳ１８において、表示装置１２は、表示装置１２のリモコン信号処理部１２Ｄによって生成されたリモコンコードに応じた動作を実行する。つまり、表示装置１２の表示ユニット１２Ａは、遠隔操作装置１５の利用者による通常操作部１５Ａ３の操作に応じた表示を行う。
【００３９】
換言すれば、第１実施形態の遠隔操作システム１は、複数の表示装置１１、１２、１３を備えるマルチディスプレイシステムのリモートコントロールシステムであって、複数の表示装置１１、１２、１３のうちの１つが、遠隔操作装置１５による遠隔操作の対象である指定機器に設定されるものである。
第１実施形態の遠隔操作システム１では、３つの表示装置１１、１２、１３のうちの表示装置１２が指定機器に設定される場合、図１に示すように、遠隔操作装置１５の利用者が、遠隔操作装置１５の送信部１５Ｂを、表示装置１２の受信部１２Ｂに向ける。その結果、遠隔操作装置１５の送信部１５Ｂと表示装置１２の受信部１２Ｂとの距離が、遠隔操作装置１５の送信部１５Ｂと表示装置１１の受信部１１Ｂとの距離、および、遠隔操作装置１５の送信部１５Ｂと表示装置１３の受信部１３Ｂとの距離よりも小さくなる。
次いで、遠隔操作装置１５の利用者は、遠隔操作装置１５の設定操作部１５Ａ１を操作する（例えば１回、押し下げ操作する）。その結果、表示装置１２のみが遠隔操作装置１５による遠隔操作の対象になる（遠隔操作システム１が指定機器操作モードになる）。
遠隔操作システム１の指定機器操作モード時に、遠隔操作装置１５の利用者が、遠隔操作装置１５の設定解除操作部１５Ａ２を操作する（例えば１回、押し下げ操作する）と、表示装置１２のみが遠隔操作装置１５による遠隔操作の対象になっている状態が解除され（つまり、指定機器の設定が解除され）、３つの表示装置１１、１２、１３のすべてが遠隔操作装置１５による遠隔操作の対象になる（遠隔操作システム１が通常モードになる）。
【００４０】
遠隔操作システム１の通常モードでは、遠隔操作装置１５の送信部１５Ｂによって送信されたリモコン信号を受信したすべての表示装置１１、１２、１３が、そのリモコン信号に応じた動作を行う。
遠隔操作システム１の指定機器操作モードでは（詳細には、表示装置１２が指定機器に設定されている場合には）、表示装置１１、１２、１３のうちの表示装置１２のみが、遠隔操作装置１５の送信部１５Ｂによって送信されたリモコン信号に応じた動作を行い、表示装置１１、１３は、そのリモコン信号に応じた動作を行わない。
【００４１】
第１実施形態の遠隔操作システム１では、遠隔操作装置１５の利用者が、例えば表示装置１２のみを操作しようとする場合、まず図５のステップＳ１０において、表示装置１２が、遠隔操作装置１５による遠隔操作の対象に設定される。
【００４２】
以下、本発明の遠隔操作システム、遠隔操作方法、遠隔操作装置および表示装置の第２実施形態について図面を参照しながら説明する。
図６は第２実施形態の遠隔操作システム１の概略構成の一例を示す図である。
図６に示す例では、遠隔操作システム１が、３つの表示装置（ディスプレイ）１１、１２、１３と、遠隔操作装置（リモートコントローラ）１５とを備えている。
図６に示す例では、遠隔操作システム１が３つの表示装置１１、１２、１３を備えているが、他の例では、遠隔操作システム１が３以外の任意の数（ただし、複数）の表示装置を備えていてもよい。
【００４３】
図６に示す例では、遠隔操作装置１５が、表示装置１１、１２、１３の遠隔操作を行う。遠隔操作装置１５は、送信部１５Ｂを備えている。送信部１５Ｂは、表示装置１１、１２、１３のうちのいずれかのみを遠隔操作装置１５による遠隔操作の対象である指定機器として設定する指定機器設定信号を送信する。
【００４４】
図６に示す例では、表示装置１１、１２、１３のうちの表示装置１２が、表示ユニット１２Ａと、受信部１２Ｂと、リモコン信号レベル測定部１２Ｅと、ＣＰＵ１２Ｆとを備えている。受信部１２Ｂは、指定機器設定信号を受信する。リモコン信号レベル測定部１２Ｅは、受信部１２Ｂによって受信された指定機器設定信号の強度を算出する信号強度算出部として機能する。ＣＰＵ１２Ｆは、受信部１２Ｂによって受信された指定機器設定信号の強度が、他の表示装置１１、１３によって受信された指定機器設定信号の強度よりも高いか否かを比較する比較部として機能する。
受信部１２Ｂによって受信された指定機器設定信号の強度が、他の表示装置１１、１３によって受信された指定機器設定信号の強度よりも高い場合に、表示装置１２が指定機器として動作する。
【００４５】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態および各例に記載の構成を適宜組み合わせてもよい。
【００４６】
なお、上述した実施形態における遠隔操作システム１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４７】
１…遠隔操作システム、１１…表示装置、１１Ａ…表示ユニット、１１Ｂ…受信部、１２…表示装置、１２Ａ…表示ユニット、１２Ｂ…受信部、１２Ｃ…パルス変調部、１２Ｄ…リモコン信号処理部、１２Ｅ…リモコン信号レベル測定部、１２Ｆ…ＣＰＵ、１２Ｇ…メモリ、１２Ｈ…ＬＡＮ信号処理部、１２Ｉ…ＬＡＮ端子、１２Ｊ…ＬＡＮ端子、１３…表示装置、１３Ａ…表示ユニット、１３Ｂ…受信部、１４…コンピュータ、１５…遠隔操作装置、１５Ａ…操作部、１５Ａ１…設定操作部、１５Ａ２…設定解除操作部、１５Ａ３…通常操作部、１５Ｂ…送信部、１５Ｃ…ＣＰＵ、１５Ｄ…メモリ、Ｃ１、Ｃ２、Ｃ３…映像ケーブル、Ｃ４、Ｃ５、Ｃ６…ＬＡＮケーブル
【図１】
2019208132.tif 000003
【図２】
2019208132.tif 000004
【図３】
2019208132.tif 000005
【図４】
2019208132.tif 000006
【図５】
2019208132.tif 000007
【図６】
2019208132.tif 000008